(57)【要約】【課題】外部から制御が可能で、駆動機構の大型化・高コスト化を招くことなく、薄型の照明装置に適した照明装置を提供すること。【解決手段】実施形態の照明装置は、光源と、反射板と、駆動機構とを備える。前記光源は、光を出射する。前記反射板は、前記光源から出射される光を反射する。前記駆動機構は、通電により収縮する熱収縮性部材により、前記光源または前記反射板のいずれかまたは両者の傾斜角度を変更する。【選択図】図７
2020173977.tif 000002
【特許請求の範囲】
【請求項１】
光を出射する光源と、
前記光源から出射される光を反射する反射板と、
通電により収縮する熱収縮性部材により、前記光源または前記反射板のいずれかまたは両者の傾斜角度を変更する駆動機構と、
を備える、照明装置。
【請求項２】
前記光源または前記反射板のいずれかまたは両者は、回動可能に支持され、所定の回動方向に弾性部材により付勢されており、
前記駆動機構は、回動可能に支持された前記光源または前記反射板のいずれかまたは両者を、前記所定の回動方向とは反対方向に回動する、
請求項１に記載の照明装置。
【請求項３】
前記駆動機構は、ワイヤ状の前記熱収縮性部材が筐体内に非通電時には中央部が変位した状態で張られ、張られた前記中央部が駆動対象に固定されており、通電による前記熱収縮性部材の収縮によって前記中央部の変位が減少することで駆動力が与えられる、
請求項２に記載の照明装置。
【請求項４】
前記駆動対象は、回動可能に支持された収縮力変換フレームであり、
前記収縮力変換フレームは、回動可能に支持された前記光源を搭載する光源フレームの端部と当接して駆動する、
請求項３に記載の照明装置。
【請求項５】
前記駆動機構により傾斜角度が変更される前記光源または前記反射板のいずれかまたは両者の傾斜角度が変化しないように保持する保持機構
を備える、請求項１〜４のいずれか一つに記載の照明装置。
【請求項６】
前記保持機構は、回動可能に支持された前記光源または前記反射板のいずれかまたは両者の一部を弾性部材により付勢されて押圧し、傾斜角度の変化を阻止する押圧部材と、
通電による収縮により、前記押圧部材を前記付勢の方向と反対方向に移動させて保持状態を解除する熱収縮性部材と、
を備える、請求項５に記載の照明装置。
【発明の詳細な説明】
【技術分野】
【０００１】
本発明は、照明装置に関する。
【背景技術】
【０００２】
店舗の商品陳列棚に設置される棚下照明装置等として用いられる照明装置が知られている。このような照明装置は、商品の形状や大きさや位置が変更された場合でも、適切に商品を照らすことができるよう、光の照射方向が変更できることが求められている。具体的には、手動で照射方向が変更できるものや、モータ等により照射方向が変更できるものが存在する。さらには、形状記憶合金アクチュエータを用いて光源の照射方向を可変するものも知られている（例えば、特許文献１等を参照）。
【先行技術文献】
【特許文献】
【０００３】
【特許文献１】実開平３−７７３０１号明細書
【発明の概要】
【発明が解決しようとする課題】
【０００４】
しかしながら、手動で照射方向を変更するタイプの照明装置では、商品陳列棚等に手を入れて作業をしなければならないため、操作が煩雑であるという問題があった。また、モータ等により照射方向が変更できるタイプの照明装置では、駆動機構が大型化するとともに、コストが増大するという問題があった。さらに、特許文献１に記載される構成は、棚下照明装置等として用いられる薄型の照明装置には適さないという問題があった。
【０００５】
本発明は、上記に鑑みてなされたものであって、外部から制御が可能で、駆動機構の大型化・高コスト化を招くことなく、薄型の照明装置に適した照明装置を提供することを目的とする。
【課題を解決するための手段】
【０００６】
上述した課題を解決し、目的を達成するために、本発明の一態様に係る照明装置は、光源と、反射板と、駆動機構とを備える。前記光源は、光を出射する。前記反射板は、前記光源から出射される光を反射する。前記駆動機構は、通電により収縮する熱収縮性部材により、前記光源または前記反射板のいずれかまたは両者の傾斜角度を変更する。
【０００７】
本発明の一態様に係る照明装置は、外部から制御が可能で、駆動機構の大型化・高コスト化を招くことなく、薄型の照明装置に適した照明装置を提供することができる。
【図面の簡単な説明】
【０００８】
【図１】図１は、第１の実施形態にかかる照明装置の外観斜視図である。
【図２】図２は、図１の照明装置から本体ケース、フロントケースおよびレンズが除去された状態を示す外観斜視図である。
【図３】図３は、ベースブロックとリフレクタフレームとを示した外観斜視図である。
【図４】図４は、図２の照明装置からリフレクタフレームが除去された状態を示す外観斜視図である。
【図５】図５は、ＬＥＤフレームの周辺を示す外観斜視図である。
【図６】図６は、収縮力変換フレームの周辺を示す外観斜視図である。
【図７】図７は、図１におけるＸ−Ｘ断面図（１）である。
【図８】図８は、図１におけるＸ−Ｘ断面図（２）である。
【図９】図９は、図４におけるＹ−Ｙ断面図である。
【図１０】図１０は、ストッパーの外観斜視図である。
【図１１】図１１は、制御系の構成例を示すブロック図である。
【図１２】図１２は、照明装置における制御の処理例を示すフローチャートである。
【図１３】図１３は、第２の実施形態にかかる照明装置の断面図である。
【図１４】図１４は、図１３の右側面側から見た熱収縮性ワイヤの配置を示す図である。
【図１５】図１５は、第３の実施形態にかかる照明装置の断面図である。
【図１６】図１６は、図１５の底面側から見た熱収縮性ワイヤの配置を示す図である。
【発明を実施するための形態】
【０００９】
以下、実施形態に係る照明装置について図面を参照して説明する。なお、この実施形態によりこの発明が限定されるものではない。また、図面における各要素の寸法の関係、各要素の比率などは、現実と異なる場合がある。図面の相互間においても、互いの寸法の関係や比率が異なる部分が含まれている場合がある。また、１つの実施形態や変形例に記載された内容は、原則として他の実施形態や変形例にも同様に適用される。
【００１０】
（第１の実施形態）
図１は、第１の実施形態にかかる照明装置１の外観斜視図である。図１において、照明装置１は、底と側壁とを有した略箱型の本体ケース２と、本体ケース２の開口部を覆う略平板状のフロントケース３とから筐体が形成されている。フロントケース３には、内部からの光を通過させる略矩形状のレンズ４が設けられている。本体ケース２の長手方向の両端の側面の略中央には、電源が接続されるコネクタ部５（５Ａ、５Ｂ）が設けられている。なお、コネクタ部５を介して複数の照明装置１がタンデムに接続可能である。店舗の商品陳列棚の棚下照明装置として照明装置１が用いられる場合、通常では、フロントケース３およびレンズ４の面が下向きとされる。
【００１１】
図２は、図１の照明装置１から本体ケース２、フロントケース３およびレンズ４が除去された状態を示す外観斜視図である。図２において、左右のベースブロック７Ａ、７Ｂには基板６Ａ、６Ｂが固定され、基板６Ａ、６Ｂにはコネクタ部５Ａ、５Ｂが設けられている。
【００１２】
また、左右のベースブロック７Ａ、７Ｂにはリフレクタフレーム９の端部が固定されている。リフレクタフレーム９は、反射板の一例である。図３は、ベースブロック７Ａ、７Ｂとリフレクタフレーム９とを示した外観斜視図である。図３において、リフレクタフレーム９の長手方向の両端の耳部９ｃ、９ｄは、ベースブロック７Ａ、７Ｂの底面（図の裏面側）の上部側に固定される。リフレクタフレーム９は、平板状の平坦部９ａと、図の手前側にせり出す湾曲部９ｂとが設けられている。平坦部９ａの中央部には、後述するベアリング１９との接触を避けて、後述する収縮力変換フレーム１５の回動範囲を増大させるための孔部９ｅが設けられている。なお、孔部９ｅは光の反射にさほど影響を与えないことが前提であり、省略されてもよい。
【００１３】
図４は、図２の照明装置１からリフレクタフレーム９が除去された状態を示す外観斜視図である。図４において、左右のベースブロック７Ａ、７ＢにはＬＥＤフレーム１０の耳部１０ａ、１０ｂが回動可能に軸支され、スプリング１３Ａ、１３ＢによってＬＥＤフレーム１０下端が図の手前側に倒れる向きに付勢されている。スプリング１３Ａ、１３Ｂは、弾性部材の一例である。
【００１４】
図５は、ＬＥＤフレーム１０の周辺を示す外観斜視図であり、図４よりも若干右下方向から見た図である。図５において、ＬＥＤフレーム１０は、長手方向の両端に耳部１０ａ、１０ｂが設けられ、中央部には湾曲した舌部１０ｃが設けられている。また、ＬＥＤフレーム１０の長手部分の図における下面には、複数のＬＥＤ１２が配置されたＬＥＤ基板１１が固定されている。ＬＥＤ１２は、光源の一例である。複数のＬＥＤ１２はＬＥＤ基板１１上で配線されており、ＬＥＤ基板１１は基板６Ａ、６Ｂに電気的に接続されている。
【００１５】
図４に戻り、左右のベースブロック７Ａ、７Ｂには収縮力変換フレーム１５の端部が回動可能に軸支されている。収縮力変換フレーム１５は、ＬＥＤフレーム１０との当接により、収縮力変換フレーム１５の下端が図の手前側に押し出される向きに付勢されている。
【００１６】
図６は、収縮力変換フレーム１５の周辺を示す外観斜視図である。図４および図６において、収縮力変換フレーム１５の長手方向の両端には耳部１５ａ、１５ｂが設けられ、中央部には、下側にせり出す突出部１５ｃと、上側にせり出す突出部１５ｄとが設けられている。下側の突出部１５ｃには、ガイドブロック１６が固定され、ガイドブロック１６のネジ孔１６ａには、調整ネジ１７を介して熱収縮性ワイヤ２０の中央部が固定される。熱収縮性ワイヤ２０は、熱収縮性部材の一例である。熱収縮性ワイヤ２０の両端の端子２１Ａ、２１Ｂは本体ケース２の底面に固定されている。調整ネジ１７は、熱収縮性ワイヤ２０に通電が行われていない状態で、熱収縮性ワイヤ２０に弛みが生じないように、ガイドブロック１６への取付位置（押し込みストローク）を調整するものである。熱収縮性ワイヤ２０は、基板６Ａ、６Ｂと電気的に接続されている。
【００１７】
熱収縮性ワイヤ２０は、Ｔｉ−Ｎｉ系の形状記憶合金（ＳＭＡ：Shape  Memory  Alloy）により形成されたワイヤであり、通電による発熱により５％程度の収縮が生じる。収縮の値は小さいが、ワイヤの中央部を変位させた状態で張ることで、通電による収縮によって中央部の変位が戻る方向に大きな駆動力が得られる。なお、熱収縮性ワイヤ２０については、長い方が変位量が稼げるため、ケースの長辺方向に沿って配置するのが望ましい。
【００１８】
また、収縮力変換フレーム１５の上側の突出部１５ｄには、シャフト１８が軸支され、このシャフト１８の中央部にはベアリング１９が設けられている。ベアリング１９は、ＬＥＤフレーム１０の舌部１０ｃと当接する。なお、ベアリング１９は、ＬＥＤフレーム１０の舌部１０ｃとの接触を円滑にするものであるため、収縮力変換フレーム１５の突出部１５ｄとＬＥＤフレーム１０の舌部１０ｃとの接触で充分に円滑な接触が可能であれば、省略が可能である。熱収縮性ワイヤ２０、収縮力変換フレーム１５、ＬＥＤフレーム１０等は、駆動機構の一例である。
【００１９】
図７は、図１におけるＸ−Ｘ断面図であり、熱収縮性ワイヤ２０に通電が行われていない状態を示している。図８は、同じく図１におけるＸ−Ｘ断面図であり、熱収縮性ワイヤ２０に通電が行われた状態を示している。図７においては、熱収縮性ワイヤ２０は非収縮状態にあり、ＬＥＤフレーム１０がスプリング（１３Ａ、１３Ｂ）により図における左方向に付勢されており、ＬＥＤフレーム１０の舌部１０ｃはベアリング１９を右方向に押し、収縮力変換フレーム１５の下端は左方向に傾いている。この状態では、ＬＥＤフレーム１０に取り付けられたＬＥＤ基板１１上のＬＥＤ１２から出射された光は、固定されたリフレクタフレーム９に対して所定の角度で入射して反射され、レンズ４を通して外部に照明光として出ていく。
【００２０】
一方、熱収縮性ワイヤ２０に通電が行われると、熱収縮性ワイヤ２０が発熱により収縮する。この場合、図８に示されるように、調整ネジ１７およびガイドブロック１６を介して収縮力変換フレーム１５の突出部１５ｃが図における右方向に押され、ベアリング１９が左側に傾いてＬＥＤフレーム１０の舌部１０ｃを押し、ＬＥＤフレーム１０を右方向に回動させる。この状態では、ＬＥＤフレーム１０に取り付けられたＬＥＤ基板１１上のＬＥＤ１２から出射された光は、図７の場合よりも浅い角度でリフレクタフレーム９に入射することとなり、照明光の照射方向が変化する。なお、熱収縮性ワイヤ２０は通電による加熱を続けると飽和するまで収縮を続けが、通電を停止すると冷却されて膨張に転じる。また、熱収縮性ワイヤ２０への電流を適切に制御することで、飽和するまでの途中の状態での収縮を維持することができる。
【００２１】
図９は、図４におけるＹ−Ｙ断面図（左側のベースブロック７Ａの下側に図示）であり、保持機構の構造を示すものである。すなわち、熱収縮性ワイヤ２０により収縮力変換フレーム１５を介してＬＥＤフレーム１０が回動駆動される点については説明したが、熱収縮性ワイヤ２０への通電を停止すると傾斜角度が元に戻ってしまうのでは、通電し続けなければならず、都合が悪い。そこで、熱収縮性ワイヤ２０により回動駆動しない場合には収縮力変換フレーム１５の傾斜角度が変化しないように機械的に保持するようにしている。ここでは、保持機構についても熱収縮性ワイヤが用いられている。
【００２２】
図９において、一方のベースブロック７Ａには、ストッパー２９が埋め込まれ、スプリング２８の反発力によりストッパー２９の頭部２９ｃが収縮力変換フレーム１５の耳部１５ａの一部を押圧して、回動を阻止するようになっている。ストッパー２９は、押圧部材の一例である。スプリング２８は、弾性部材の一例である。図１０は、ストッパー２９の外観斜視図であり、筒状の軸部２９ａと、先端を二股に分割する切欠部２９ｂと、頭部２９ｃとを有している。軸部２９ａの周面にはネジ溝が切られている。頭部２９ｃの端面は、摩擦力を高める加工等が施されることが望ましい。
【００２３】
図９に戻り、ストッパー２９は、ベースブロック７Ａの孔部７ａ内に配置され、頭部２９ｃは孔部７ｂから露出されるようになっている。また、ストッパー２９は、スプリング２８およびスプリングカバー２６を介し、さらに切欠部２９ｂ内に熱収縮性ワイヤ２５を挟んで、ナット２７により軸部２９ａにネジ止めされている。スプリングカバー２６はベースブロック７Ａに固定されている。スプリングカバー２６の図における上下の端部はナット２７を囲むように折り曲げられており、ストッパー２９の切欠部２９ｂを通された熱収縮性ワイヤ２５の両端は、スプリングカバー２６の端部を越えて基板６Ａに固定されている。熱収縮性ワイヤ２５は、基板６Ａと電気的に接続されている。
【００２４】
すなわち、熱収縮性ワイヤ２５に通電が行われていない状態では、ベースブロック７Ａに固定されたスプリングカバー２６からスプリング２８の反発力によりストッパー２９が図の右方向に押され、ストッパー２９の頭部２９ｃが収縮力変換フレーム１５の耳部１５ａを押圧して収縮力変換フレーム１５の回動を阻止して傾斜角度を保持する。また、熱収縮性ワイヤ２５に通電が行われると、発熱により熱収縮性ワイヤ２５が収縮し、スプリングカバー２６の端部を支点にしてナット２７が図の左側に押され、ストッパー２９の頭部２９ｃが収縮力変換フレーム１５の耳部１５ａから離されて回動可能（状態保持の解除）になる。
【００２５】
図１１は、制御系の構成例を示すブロック図である。図１１において、照明装置１は、無線通信部１０１と、処理部１０２と、光源制御部１０３と、照射角制御部１０４と、状態保持制御部１０５とを備えている。無線通信部１０１は、リモコンとして使用されるスマートフォン２００等との間で無線により通信を行う機能を有している。処理部１０２は、照明装置１の全体的な制御処理を行う機能を有している。光源制御部１０３は、光源（ＬＥＤ１２）に供給する電流を制御することで、オン・オフ、明るさ等の制御を行う機能を有している。
【００２６】
照射角制御部１０４は、照明装置１の照明光の照射角を制御する機能を有している。より具体的には、照射角制御部１０４は、熱収縮性ワイヤ２０への通電を制御して、収縮力変換フレーム１５およびＬＥＤフレーム１０の傾斜角度を制御する機能を有している。状態保持制御部１０５は、照明装置１の照明光の照射角を維持する機能を有している。より具体的には、状態保持制御部１０５は、熱収縮性ワイヤ２５への通電を制御して、収縮力変換フレーム１５の回動の規制よび規制解除を制御する機能を有している。なお、熱収縮性ワイヤ２０や熱収縮性ワイヤ２５への通電の制御は、電流値自体を制御するほか、ＰＷＭ（Pulse  Width  Modulation）のデューティーを制御することによっても行うことができる。
【００２７】
スマートフォン２００は、無線通信部２０１と、処理部２０２と、表示部２０３と、操作部２０４とを備えている。無線通信部２０１は、照明装置１等との間で無線により通信を行う機能を有している。処理部２０２は、スマートフォン２００の全体的な制御処理を行う機能を有している。表示部２０３は、ユーザに対して操作画面等を表示する機能を有している。操作部２０４は、ユーザからの操作を受け付ける機能を有している。
【００２８】
図１２は、照明装置１における制御の処理例を示すフローチャートである。図１２において、処理部１０２は、無線通信部１０１により操作の受信が行われたか否か判断し（ステップＳ１）、操作の受信が行われていないと判断した場合（ステップＳ１のＮｏ）、待機状態に戻る。また、処理部１０２は、操作の受信が行われたと判断した場合（ステップＳ１のＹｅｓ）、操作内容が照明ＯＮ／ＯＦＦや照度調整等であった場合（ステップＳ２の照明ＯＮ／ＯＦＦ、照度調整等）、対応する照明ＯＮ／ＯＦＦや照度調整等の制御を行い（ステップＳ３）、待機状態に戻る。
【００２９】
処理部１０２は、操作内容が照射角の変更であると判断した場合（ステップＳ１の照射角の変更）、光源制御部１０３による照射角制御を開始し（ステップＳ４）、次いで、状態保持制御部１０５により状態保持を解除し（ステップＳ５）、照射角制御を継続する（ステップＳ６）。例えば、熱収縮性ワイヤ２０の収縮を大きくする方向に照射角を変更する場合、前回のレベルまで熱収縮性ワイヤ２０に通電させた状態で状態保持を解除し、通電のレベルを徐々に増大させる。熱収縮性ワイヤ２０の収縮を小さくする方向に照射角を変更する場合、前回のレベルまで熱収縮性ワイヤ２０に通電させた状態で状態保持を解除し、通電のレベルを徐々に減少させる。次いで、処理部１０２は、操作が継続されていると判断した場合（ステップＳ７のＹｅｓ）、照射角制御を継続する（ステップＳ６）。
【００３０】
処理部１０２は、操作が継続されていないと判断した場合（ステップＳ７のＮｏ）、状態保持制御部１０５により状態保持を再開し（ステップＳ８）、光源制御部１０３による照射角制御を停止する（ステップＳ９）。そして、待機状態に戻る。
【００３１】
例えば、スマートフォン２００のユーザは、照明装置１の照明状態を見ながら、照射角について「上げる」「下げる」のいずれかのボタンを押すことで、ボタンを押している間は「上げる」または「下げる」の動作が行われ、ボタンを離した状態でその状態が保持されることになる。
【００３２】
なお、ユーザが照明装置１の照明状態を見ながら照射角を調整するものとしたが、収縮力変換フレーム１５やＬＥＤフレーム１０の傾斜角度を検知するセンサを設け、ユーザから入力された角度値に傾斜角度が合致するように駆動制御を行うようにしてもよい。
【００３３】
（変形例）
上述した第１の実施形態では、ＬＥＤ１２から出射された光がリフレクタフレーム９により反射されてレンズ４を通して外部に出射されるようにしていたが、リフレクタフレーム９を除去し、ＬＥＤ１２の配置角度を変えることにより、ＬＥＤ１２からレンズ４を通して外部に出射するようにしてもよい。
【００３４】
（第２の実施形態）
図１３は、第２の実施形態にかかる照明装置１の断面図であり、収縮力変換フレーム１５によらず、熱収縮性ワイヤ２０によって直接にＬＥＤフレーム１０が駆動されるようにしたものである。図１３において、ＬＥＤフレーム１０は回転軸ＡＸにより回動自在に軸支されており、スプリングにより矢印の方向に付勢されている。また、熱収縮性ワイヤ２０の端部に接続された端子２１Ａ、２１Ｂは本体ケース２の底面に固定され、熱収縮性ワイヤ２０の中央部はＬＥＤフレーム１０の端部１０ｄに係止されている。図１４は、図１３の右側面側から見た熱収縮性ワイヤ２０の配置を示す図である。その他の構成は第１の実施形態と同様である。
【００３５】
熱収縮性ワイヤ２０に通電が行われていない状態では、ＬＥＤフレーム１０は図１３に示された傾斜角度にあるが、熱収縮性ワイヤ２０に通電が行われて収縮すると、ＬＥＤフレーム１０は端部１０ｄが熱収縮性ワイヤ２０により図において下方向に引かれ、右方向に回動して、照射角が変更される。
【００３６】
（第３の実施形態）
図１５は、第３の実施形態にかかる照明装置１の断面図であり、収縮力変換フレーム１５によらず、熱収縮性ワイヤ２０によって直接にリフレクタフレーム９が駆動されるようにしたものである。図１５において、リフレクタフレーム９は回転軸ＡＸにより回動自在に軸支されており、スプリングにより矢印の方向に付勢されている。また、熱収縮性ワイヤ２０の端部に接続された端子２１Ａ、２１Ｂは本体ケース２の底面に固定され、熱収縮性ワイヤ２０の中央部はリフレクタフレーム９の端部９ｆに係止されている。図１６は、図１５の底面側から見た熱収縮性ワイヤ２０の配置を示す図である。その他の構成は第１の実施形態と同様である。
【００３７】
熱収縮性ワイヤ２０に通電が行われていない状態では、リフレクタフレーム９は図１５に示された傾斜角度にあるが、熱収縮性ワイヤ２０に通電が行われて収縮すると、リフレクタフレーム９は端部９ｆが熱収縮性ワイヤ２０により図の右方向に引かれ、左方向に回動して、照射角が変更される。
【００３８】
なお、上述の各実施形態では、ＬＥＤフレーム１０かリフレクタフレーム９の一方が駆動されるものとしていたが、ＬＥＤフレーム１０とリフレクタフレーム９の両者が駆動されるようにしてもよい。
【００３９】
以上、本発明の実施形態について説明したが、本発明は上記実施形態に限定されるものではなく、その趣旨を逸脱しない限りにおいて種々の変更が可能である。
【００４０】
以上のように、実施形態に係る照明装置は、光を出射する光源と、光源から出射される光を反射する反射板と、通電により収縮する熱収縮性部材により、光源または反射板のいずれかまたは両者の傾斜角度を変更する駆動機構とを備える。これにより、外部から制御が可能で、駆動機構の大型化・高コスト化を招くことなく、薄型の照明装置に適した照明装置を提供することができる。
【００４１】
また、光源または反射板のいずれかまたは両者は、回動可能に支持され、所定の回動方向に弾性部材により付勢されており、駆動機構は、回動可能に支持された光源または反射板のいずれかまたは両者を、所定の回動方向とは反対方向に回動する。これにより、効率的に駆動を行わせることができる。
【００４２】
また、駆動機構は、ワイヤ状の熱収縮性部材が筐体内に非通電時には中央部が変位した状態で張られ、張られた中央部が駆動対象に固定されており、通電による熱収縮性部材の収縮によって中央部の変位が減少することで駆動力が与えられる。これにより、効率的に駆動を行わせることができる。
【００４３】
また、駆動対象は、回動可能に支持された収縮力変換フレームであり、収縮力変換フレームは、回動可能に支持された光源を搭載する光源フレームの端部と当接して駆動する。これにより、効率的に駆動を行わせることができる。
【００４４】
また、駆動機構により傾斜角度が変更される光源または反射板のいずれかまたは両者の傾斜角度が変化しないように保持する保持機構を備える。これにより、光源等の傾斜角度を変化させない通常の使用時においては通電を停止し、消費電力の低減を図ることができる。
【００４５】
また、保持機構は、回動可能に支持された光源または反射板のいずれかまたは両者の一部を弾性部材により付勢されて押圧し、傾斜角度の変化を阻止する押圧部材と、通電による収縮により、押圧部材を付勢の方向と反対方向に移動させて保持状態を解除する熱収縮性部材とを備える。これにより、効率的に保持を行わせることができる。
【００４６】
また、上記実施の形態により本発明が限定されるものではない。上述した各構成要素を適宜組み合わせて構成したものも本発明に含まれる。また、さらなる効果や変形例は、当業者によって容易に導き出すことができる。よって、本発明のより広範な態様は、上記の実施の形態に限定されるものではなく、様々な変更が可能である。
【符号の説明】
【００４７】
１  照明装置，２  本体ケース，３  フロントケース，４  レンズ，５、５Ａ、５Ｂ  コネクタ部，６Ａ、６Ｂ  基板，７Ａ、７Ｂ  ベースブロック，９  リフレクタフレーム，１０  ＬＥＤフレーム，１１  ＬＥＤ基板，１２  ＬＥＤ，１３Ａ、１３Ｂ  スプリング，１５  収縮力変換フレーム，１６  ガイドブロック，１７  調整ネジ，１８  シャフト，１９  ベアリング，２０  熱収縮性ワイヤ，２１Ａ、２１Ｂ  端子，２５  熱収縮性ワイヤ，２６  スプリングカバー，２７  ナット，２８  スプリング，２９  ストッパー
【図１】
2020173977.tif 000003
【図２】
2020173977.tif 000004
【図３】
2020173977.tif 000005
【図４】
2020173977.tif 000006
【図５】
2020173977.tif 000007
【図６】
2020173977.tif 000008
【図７】
2020173977.tif 000009
【図８】
2020173977.tif 000010
【図９】
2020173977.tif 000011
【図１０】
2020173977.tif 000012
【図１１】
2020173977.tif 000013
【図１２】
2020173977.tif 000014
【図１３】
2020173977.tif 000015
【図１４】
2020173977.tif 000016
【図１５】
2020173977.tif 000017
【図１６】
2020173977.tif 000018